(57)【要約】【課題】バルコニーや外廊下などの屋外の床を新築時のみならず、リフォームやリニューアルの際にも躯体に悪影響を及ぼすような工事を一切行わないで容易に居室に改装できるようにした屋外床スラブの構造を提供する。【解決手段】各階のバルコニー床スラブ１の室外側端部と室内側端部の床面に支持金物２と３をそれぞれ取り付け、また直上階のバルコニー床スラブ４の室外側端部と室内側端部の天井面に支持金物５と６がそれぞれ取り付ける。支持金物２の上に手摺り７、バルコニー床スラブ１の上に新たに構築される居室ｃの外壁パネル２３や屋根パネル２５などの部材を取り付ける。手摺り７は支持金物２に固定金具９によって取り付ける。また、外壁パネル２３や屋根パネル２５は固定金具１４や固定金具１６等の固定金具によって支持金物２、５、６に固定する。【選択図】                    図６
2004270361.tif 000002
【特許請求の範囲】
【請求項１】
外壁より突設された上階および下階の屋外床スラブの少なくとも室内側端部に、前記屋外床スラブの上に新たに構築される居室の壁材、床材および屋根材を取り付ける支持金物がそれぞれ取り付けられ、前記支持金物は前記屋外床スラブの桁行き方向に連続して取り付けられてなることを特徴とする屋外床スラブの構造。
【請求項２】
上階および下階の屋外床スラブの室外端部と室内側端部に、前記屋外床スラブの上に新たに構築される居室の壁材、床材および屋根材を取り付ける支持金物が取り付けられ、前記支持金物は前記屋外床スラブの桁行き方向に連続して取り付けられてなることを特徴とする屋外床スラブの構造。
【請求項３】
壁材、床材および屋根材はそれぞれ、各支持金物に固定金物または溶接によって取り付けられてなることを特徴とする請求項１または２記載の屋外床スラブの構造。
【請求項４】
支持金物に手摺りを固定金物または溶接を介して取り付けられてなることを特徴とする請求項１、２または３記載の屋外床スラブの構造。
【発明の詳細な説明】
【０００１】
【発明の属する技術分野】
本願発明は屋外床スラブの構造に関し、ライフスタイルの変化に合わせてバルコニーや外廊下などの屋外床を居室に容易に改装することができるもので、主に分譲マンションや賃貸マンション等の集合住宅に用いられるものである。
【０００２】
【従来の技術】
建物の外壁から屋外の床として突設されたバルコニーは、室内生活の延長ゾーンとして主に集合住宅などで多く設けられ、サンデッキ、ガーデニング、庭園などとして広く利用されている（例えば、特許文献１参照）。
【０００３】
ところで、近年、ライフスタイルの多様化に伴って個々のライフスタイルに合った住まいが求められ、特に分譲集合住宅（いわゆる分譲マンション）においては、居室ゾーンにおけるフリープラン化が広まってきており、将来的には家族構成やライフスタイルの変化に合わせてバルコニーゾーンまで含めたフリープラン化が予想される。
【０００４】
また、賃貸の集合住宅においては、社会資産として社会情勢の変化に適応できるようなプランの可変性が求められ、いわゆるＳＩ住宅の推進が重要な課題になっている。
【０００５】
さらに、今後、このようなフリープランの自由度が集合住宅の質の高さとして評価される社会の到来が予想され、より自由度の高い集合住宅としてバルコニーゾーンを含めたフリープラン化が強く要望されると予想されている。
【０００６】
また、マンション等の集合住宅の場合、現行法ではバルコニーや外廊下などの屋外部分は共用部分とみなされ、居住者が躯体に手を加えるような自由な改装は認められていないが、今後の社会情勢の変化等に伴う法改正により自由な改装が可能になることも考えられるためこれに備えておくことが望ましい。
【０００７】
【特許文献１】
特開２０００−６４４１５号公報（図１）
【０００８】
【発明が解決しようとする課題】
このような社会的要請に応え、屋外の床として設置された、例えばバルコニーを従来工法によって居室に改装しようとすると、バルコニーの上に新たに構築される居室の外壁や床などを支持するためのアンカー部材などをバルコニーのスラブ（構造体）に取り付ける必要があり、そのためスラブに孔を開ける等の手を加える必要から躯体に悪影響を及ぼすおそれがあり、また穴あけ加工などに伴う騒音問題が発生する恐れがあった。
【０００９】
かといって、バルコニーの施工時に予め外壁などを支持するための支持金物を取り付けておくことで、上述するような躯体への悪影響や騒音の発生を回避することも考えられるが、そのような対応ではフリープランの自由度が制限されるおそれがあり、また自由度を高めるべく支持金物を多く取り付けると、利用されない金物が多数存在して金物が無駄になる等の課題があった。
【００１０】
本願発明は以上の課題を解決するためになされたもので、バルコニーや外廊下などの屋外の床を居室に新築時のみならず、リフォームやリニューアルの際にも躯体に悪影響を及ぼすような工事を一切行わないで容易に改装できるようにした屋外床スラブの構造を提供することを目的とする。
【００１１】
【課題を解決するための手段】
請求項１記載の屋外床スラブの構造は、外壁より突設された上下階の屋外床スラブの少なくとも室内側端部に、前記屋外床スラブの上に新たに構築される居室の壁材（手摺りを含む）、床材および屋根材を取り付ける支持金物がそれぞれ取り付けられ、前記支持金物は前記屋外床スラブの桁行き方向に連続して取り付けられてなることを特徴とするものである。
【００１２】
本願発明は、上記した屋外床スラブの上に居室が屋外床スラブの室内側から室外方向に突出する片持ち形式で設置される場合に適用されるものであり（例えば図３（ａ）参照）、この場合の支持金物にはＨ形鋼、Ｔ形鋼、Ｌ形鋼またはＩ形鋼などの形鋼を用いることができ、また支持金物は屋外床スラブの施工時に床スラブの床面と天井面に取り付けることができる。
【００１３】
請求項２記載の屋外床スラブの構造は、上階および下階の屋外床スラブの室外端部と室内側端部に、それぞれ前記屋外床スラブの上に新たに構築される居室の壁材（手摺りを含む）、床材および屋根材を取り付ける支持金物が取り付けられ、前記支持金物は前記屋外床スラブの桁行き方向に連続して取り付けられてなることを特徴とするものである。
【００１４】
本願発明は、上記した屋外床スラブの上に居室が屋外床スラブの室内側と室外側の両端を支持する方式によって設置される場合に適用されるものであり、この場合の支持金物にも上記したようにＨ形鋼などの形鋼を用いることができ、また支持金物は屋外床スラブの施工時に床スラブの床面と天井面に取り付けることができる。
【００１５】
請求項３記載の屋外床スラブの構造は、請求項１または２記載の屋外床スラブの構造において、壁材（手摺りを含む）、床材および屋根材はそれぞれ、各支持金物に固定金物または溶接によって取り付けられてなることを特徴とするものである。
【００１６】
特に固定金具としてナット付きの締結ボルトを備えた金具を用いることにより、溶接やコンクリート等を用いずに、壁材などを支持金物にきわめて簡単に取り付けることができる。また、コスト的な配慮をするなら溶接によって取り付けることも可能である。
【００１７】
請求項４記載の屋外床スラブの構造は、請求項１、２または３記載の屋外床スラブの構造において、室外側端部の支持金物に手摺りを固定金具または溶接によって取り付けられてなることを特徴とするものである。
【００１８】
【発明の実施の形態】
図１〜図３は、バルコニーの床スラブとして外壁から突設された屋外床スラブの構造を示し、図において下階のバルコニー床スラブ１の室外側端部と室内側端部の床面に支持金物２と３がそれぞれ取り付けられ、また上階のバルコニー床スラブ４の室外側端部と室内側端部の天井面に支持金物５と６がそれぞれ取り付けられている。
【００１９】
そして、支持金物２の上に手摺り７が取り付けられ、支持金物３と６間にバルコニーａと居室ｂとを仕切る外壁として外壁パネル８が取り付けられている。
【００２０】
支持金物２と３および支持金物５と６は、ともにＨ形鋼などの形鋼から形成され、ともにバルコニー床スラブ１および４の施工時にバルコニーａの桁行き方向に連続するライナー状に取り付けられ、また特に支持金物３は梁１ａの上側部に、支持金物６は梁４ａの下側部にそれぞれ取り付けられている。
【００２１】
手摺り７は、その下端部を支持金物２に固定金具９で固定することにより取り付けられ、外壁パネル８はその下端部と上端部をそれぞれ、支持金物３と６に固定金具１０と１１によって固定することにより取り付けられている。
【００２２】
固定金具９は、支持金物２の上側フランジ２ａをその上側と下側から挟み込めるような形状に形成された一組の金具９ａおよび９ｂと、この金具９ａと９ｂの貫通孔に連続して挿通された締結ナット付きの締結ボルト９ｃとから形成され、金具９ａは手摺り７の下端部に取り付けられている。
【００２３】
そして、締結ボルト９ｃの締結ナットを強く締め付け、金具９ａと９ｂによって支持金物２の上側フランジ２ａを強く挟持することにより、手摺り７は支持金物２の上に固定されている。
【００２４】
固定金具１０は、支持金物３の上側フランジ３ａをその上側と下側から挟み込めるような形状に形成された一組の金具１０ａおよび１０ｂと、この金具１０ａと１０ｂの貫通孔に挿通された締結ナット付きの締結ボルト１０ｃとから形成され、金具１０ａは外壁パネル８の下端部に取り付けられている。
【００２５】
そして、締結ボルト１０ｃの締結ナットを強く締め付け、金具１０ａと１０ｂによって支持金物３の上側フランジ３ａを強く挟持することにより、外壁パネル８の下端部は支持金物３の上に固定されている。
【００２６】
固定金具１１は、支持金物６の下側フランジ６ａをその上側と下側から挟み込めるような形状に形成された一組の金具１１ａおよび１１ｂと、この金具１１ａと１１ｂの貫通孔に挿通された締結ナット付きの締結ボルト１１ｃとから形成され、金具１１ａは外壁バネル８の上端部に取り付けられている。
【００２７】
そして、締結ボルト１１ｃの締結ナットを強く締め付け、金具１１ａと１１ｂによって支持金物６の下側フランジ６ａを強く挟持することにより、外壁パネル８の上端部は支持金物６に固定されている。また、外壁パネル８の室内側に居室ｂの床１２と天井１３がそれぞれ構成されている。
【００２８】
この場合、固定金具１０の金具１０ａと取付金具１１の金具１１ｂに、外壁パネル８の室内側面に沿って突出する取付片１０ｄと１１ｄがそれぞれ形成され、この取付片１０ｄと１１ｄに壁パネル８の下端部と上端が固定ボルト２４によってそれぞれ固定されている。
【００２９】
また、居室ｂの床１２は支持金物３の上端より高い位置に、天井１３は支持金物６の下端より低い位置にそれぞれ形成されていることで、支持金物３と支持金物６が居室内に露出しないようになっている。
【００３０】
なお、固定金具９、１０および１１の各金具はバルコニー床スラブ１および４の桁行き方向に連続するライナー状に形成されていてもよく、あるいはピース状に形成されていてもよい。
【００３１】
このように構成されていることで、バルコニーと居室とを仕切る外壁パネル８および手摺り７は、躯体に穴あけや切削などの手を加えずにきわめて簡単に取り付けことができ、現場施工の大幅な省力化と工期の短縮化が図れる。
【００３２】
また、各支持金物２，３，５および６が桁行き方向にライナー状に連続して形成されていることで、手摺り７および外壁パネル８を桁行き方向の任意の位置に取り付けることができる。
【００３３】
図３〜図６は、上述するように構成されたバルコニーが居室に改装された例を示し、図において、支持金物２と支持金物３に固定金具９と１０に変えて固定金具１４と１５がそれぞれ取り付けられ、また支持金物５に固定金具９に変えて固定金具１６が吊り束１７を介して取り付けられ、さらに支持金物６に固定金具１１に変えて固定金具１８が取り付けられている。また、固定金具１４と固定金具１５との間に固定金具１９が架け渡され、その内側にＨ形鋼からなる複数の根太材２０が所定間隔おきに架け渡されている。
【００３４】
固定金具１４と１５および固定金具１９は、バルコニー床スラブ１の上に新たに構築される居室ｃの側土台をなす構造部材であり、これらの側土台と根太材２０とから居室ｃの床組が構成されている。また、固定金具１６と固定金具６との間に居室ｃの側桁として固定金具２１が架け渡されている。
【００３５】
そして、床組の上に床材２２が取り付けられ、固定金具１４と固定金具１６との間、および固定金具１９と固定金具２１との間に外壁材として外壁パネル２３が取り付けられ、また固定金具１６と固定金具１８との間に屋根材として屋根パネル２５が架け渡されている。このような構成によってバルコニー床スラブ１の上に居室ｃが新たに構築されている。
【００３６】
この場合、支持金物２、３、５および６がバルコニー床スラブ１の横方向にライナー状に連続して取り付けられていることで、側土台としての固定金具１９と側桁としての固定金具２１は、例えば図３（ａ）に図示するように居室ｃの平面形状に合わせて支持金物２と３間に垂直または斜め、あるいはアーチ状に架け渡すことができるため、居室ｃを自由な平面形状とすることができる。
【００３７】
また、この場合の固定金具１４、１５、１６、１８、１９および２１は、いずれも、固定金具９や１０等の各金具と同様に支持金物２と３および支持金物５と６の上フランジまたは下フランジをその上側と下側から挟み込めるような形状に形成された一組の金具と、締結ナット付きの締結ボルトとから形成され、締結ボルトの締結ナットを締め付けることで支持金物２と３および支持金物５と６にそれそけ取り付けられている。
【００３８】
また特に、固定金具１４と１９に水切り片１４ａが形成され、固定金具１６と２１に雨樋１６ａが形成され、また固定金具１６と固定金具１８に屋根パネル２４を受けるパネル受け部１６ｂと１８ａがそれぞれ形成されている。
【００３９】
さらに、各外壁パネル２３の上端部と下端部はそれぞれ、固定金具１４と１６、および固定金具１９と２１に固定ボルトによって固定されている。
【００４０】
このように構成されていることで、手摺り７と外壁パネル８の一部を撤去した後、バルコニー床スラブ１の上に居室ｃを、床スラブの躯体に穴あけや切削などの構造上の悪影響を及ぼすような手を加えずにきわめて簡単に構築することができる。
【００４１】
なお、上述した例では、バルコニー床スラブ１，４の室内側に梁１ａ，４ａを有する場合について説明したが、例えば図７（ａ），（ｂ）に図示するようにバルコニー床スラブ１，４の室外側端部に、いわゆる逆さ梁として梁１ａと４ａを有する場合についても適用することがてきるが、この場合、支持金具２、５はバルコニー床スラブ１，４の先端部または梁１ａの上端部に取り付けられる。
【００４２】
また、図８（ａ），（ｂ）は、外壁パネル８の他の取付方法を示したものであり、図８（ａ）の場合、Ｈ形鋼またはＩ形鋼からなる支持金物２に固定金具９が支持金物２の軸方向（バルコニーの桁行き方向）にスライド自在に取り付けられ、この固定金具９に外壁パネル８の下端部に突設されたブラケット８ａが固定ボルト２４によってボルト止めされている。
【００４３】
また、図８（ｂ）の場合、スラブの上に支持金物２としてＬ形鋼または山形鋼が設置され、外壁パネル８の下端部に下端部が溝状をなすブラケット８ａが突設されている。そして、ブラケット８ａの溝状部に支持金物２の上端部が挿入され、かつ支持金物２とブラケット８ａが取付ボルト２４によってボルト止めされている。
【００４４】
【発明の効果】
本願発明は以上説明したとおりであり、外壁より突設された上階および下階の屋外床スラブの少なくとも室内側端部に新たに構築される居室の壁材、床材および屋根材を取り付ける支持金物が取り付けられているので、屋外床スラブの上に居室を新たに設ける場合、床スラブの躯体に切削する等の手を加えることなく、新たに構築される居室の壁材や床材などを固定金具や溶接によって簡単に取り付けることができる。
【００４５】
また、支持金物は屋外床スラブの桁行き方向に連続して取り付けられているので、新たに構築される居室の壁材や床材などを桁行き方向の任意の位置に取り付けることができる。
【００４６】
さらに、床スラブの室外端部と室内側端部の両方に支持金具が取り付けられていることで、新たに構築される居室の壁材、床材および屋根材を両方の支持金具に固定することによりきわめて安定した居室を設けることができる。
【００４７】
したがって、新築時のみならずリフォーム時、リニューアル時においても、バルコニーや外廊下等の屋外床の居室への改装を躯体に手を加えずに容易に構築することができる。このため、現在および将来のライフスタイルの変化に合わせてバルコニーゾーンまで含めたフリープランが可能であるとともに将来の社会情勢の変化に伴う法改正にも容易に対応可能である。
【図面の簡単な説明】
【図１】（ａ）はバルコニーの平面図、（ｂ）は（ａ）におけるイ−イ線拡大断面図である。
【図２】図１（ｂ）における要部拡大縦断面図である。
【図３】（ａ）は居室に改装されたバルコニーの平面図、（ｂ）は（ａ）におけるロ−ロ線拡大断面図である。
【図４】図３（ｂ）における要部拡大縦断面図である。
【図５】バルコニーが居室に改装された例の斜視図である。
【図６】バルコニーが居室に改装された例の斜視図である。
【図７】（ａ），（ｂ）は、それぞれ室外側端部に逆さ梁を有するバルコニーの縦断面図である。
【図８】（ａ），（ｂ）は、それぞれ外壁パネル下端部の取付部の構造を示す縦断面図である。
【符号の説明】
１  バルコニー床スラブ（屋外床スラブ）
２  支持金物
３  支持金物
４  バルコニー床スラブ（屋外床スラブ）
５  支持金物
６  支持金物
７  手摺り
８  外壁パネル
９  固定金具
１０  固定金具
１１  固定金具
１２  居室の床
１３  居室の天井
１４  固定金具
１５  固定金具
１６  固定金具
１７  吊り束
１８  固定金具
１９  固定金具
２０  根太材
２１  固定金具
２２  床材
２３  外壁パネル
２４  固定ボルト
２５  屋根パネル
【図１】
2004270361.tif 000003
【図２】
2004270361.tif 000004
【図３】
2004270361.tif 000005
【図４】
2004270361.tif 000006
【図５】
2004270361.tif 000007
【図６】
2004270361.tif 000008
【図７】
2004270361.tif 000009
【図８】
2004270361.tif 000010